(57)【要約】【課題】管理情報の記録構成の改良によりセクタ破損に起因してアクセスが不能となるデータ量を削減した構成を提供する。【解決手段】情報記録媒体に対する情報記録処理に際して、記録情報に対応するアクセス情報を含む管理情報、例えばディレクトリエントリの書き込み処理を行なう場合、各セクタに１つのディレクトリエントリ情報を記録する。本構成により、万が一、ディレクトリエントリを記録したセクタが破損した場合、失われるディレクトリエントリ情報は１つのみとなり、アクセスができなくなる実データは、その１つのディレクトリエントリにアクセス情報が記録されたデータに限定されることになり、従来の構成に比較してセクタ破損によるデータ消失の量を大幅に削減することが可能となる。【選択図】図８
2007264870.tif 000002
【特許請求の範囲】
【請求項１】
情報記録媒体に対する記録情報に対応するアクセス情報を含む管理情報の記録制御を実行する記録制御部を有し、
前記記録制御部は、
前記情報記録媒体のデータ記録単位領域ごとに１つのディレクトリまたはファイル対応の管理情報を記録する制御を行なう構成であることを特徴とする情報処理装置。
【請求項２】
前記管理情報は、複数の実データファイルの上位ディレクトリに設定されるディレクトリ対応の管理情報であるディレクトリエントリであり、
前記記録制御部は、
前記情報記録媒体のデータ記録単位領域ごとに、前記ディレクトリ対応の１つのディレクトリエントリを記録する制御を行なう構成であることを特徴とする請求項１に記載の情報処理装置。
【請求項３】
前記管理情報は、複数の実データファイルの上位ディレクトリに設定されるディレクトリ対応の管理情報であるディレクトリエントリ、および、個別の実データファイルに対応するファイル管理情報としてのディレクトリエントリを含み、
前記記録制御部は、
前記情報記録媒体のデータ記録単位領域ごとに、前記ディレクトリ対応の１つのディレクトリエントリ、または、個別の実データファイルに対応するファイル管理情報としての１つのディレクトリエントリを記録する制御を行なう構成であることを特徴とする請求項１に記載の情報処理装置。
【請求項４】
前記記録制御部は、
前記管理情報を記録した前記データ記録単位領域の空き領域に無効データを記録する制御を行なう構成であることを特徴とする請求項１に記載の情報処理装置。
【請求項５】
前記データ記録単位領域は、情報記録媒体のセクタに対応する領域であり、
前記記録制御部は、
前記情報記録媒体のセクタ領域ごとに１つのディレクトリまたはファイル対応の管理情報を記録する制御を行なう構成であることを特徴とする請求項１に記載の情報処理装置。
【請求項６】
情報処理装置においてデータ記録制御を実行する情報処理方法であり、
記録制御部において、情報記録媒体に対する記録情報に対応するアクセス情報を含む管理情報の記録制御を実行する記録制御ステップを有し、
前記記録制御ステップは、
前記情報記録媒体のデータ記録単位領域ごとに１つのディレクトリまたはファイル対応の管理情報を記録する制御を行なうステップであることを特徴とする情報処理方法。
【請求項７】
前記管理情報は、複数の実データファイルの上位ディレクトリに設定されるディレクトリ対応の管理情報であるディレクトリエントリであり、
前記記録制御ステップは、
前記情報記録媒体のデータ記録単位領域ごとに、前記ディレクトリ対応の１つのディレクトリエントリを記録する制御を行なうステップであることを特徴とする請求項６に記載の情報処理方法。
【請求項８】
前記管理情報は、複数の実データファイルの上位ディレクトリに設定されるディレクトリ対応の管理情報であるディレクトリエントリ、および、個別の実データファイルに対応するファイル管理情報としてのディレクトリエントリを含み、
前記記録制御ステップは、
前記情報記録媒体のデータ記録単位領域ごとに、前記ディレクトリ対応の１つのディレクトリエントリ、または、個別の実データファイルに対応するファイル管理情報としての１つのディレクトリエントリを記録する制御を行なうステップであることを特徴とする請求項６に記載の情報処理方法。
【請求項９】
前記記録制御ステップは、
前記管理情報を記録した前記データ記録単位領域の空き領域に無効データを記録する制御を行なうステップを含むことを特徴とする請求項６に記載の情報処理方法。
【請求項１０】
前記データ記録単位領域は、情報記録媒体のセクタに対応する領域であり、
前記記録制御ステップは、
前記情報記録媒体のセクタ領域ごとに１つのディレクトリまたはファイル対応の管理情報を記録する制御を行なうステップであることを特徴とする請求項６に記載の情報処理方法。
【請求項１１】
情報処理装置においてデータ記録制御を実行させるコンピュータ・プログラムであり、
記録制御部において、情報記録媒体に対する記録情報に対応するアクセス情報を含む管理情報の記録制御を実行させる記録制御ステップを有し、
前記記録制御ステップは、
前記情報記録媒体のデータ記録単位領域ごとに１つのディレクトリまたはファイル対応の管理情報を記録する制御を行なわせるステップであることを特徴とするコンピュータ・プログラム。
【発明の詳細な説明】
【技術分野】
【０００１】
本発明は、情報処理装置、および情報処理方法、並びにコンピュータ・プログラムに関する。さらに詳細には、記録媒体の記録情報に対応する管理情報の記録を実行する情報処理装置、および情報処理方法、並びにコンピュータ・プログラムに関する。
【背景技術】
【０００２】
例えばデジタルビデオカメラやその他の情報処理機器において、ハードディスクなどのメディア（情報記録媒体）に対して情報記録を行なう場合、記録データファイルの管理情報、例えばＦＡＴ（Ｆｉｌｅ  Ａｌｌｏｃａｔｉｏｎ  Ｔａｂｌｅ）を適用した処理が行なわれる。
【０００３】
ＦＡＴには、例えばＦＡＴ１６、ＦＡＴ３２などがある。これらのファイルシステムは、メディア（情報記録媒体）に対して記録されるデータファイル各々についての記録位置情報、記録位置連鎖情報等を管理している。
【０００４】
例えば、情報記録媒体に記録される各ファイルには、ファイル名や記録日時などのファイル管理情報（ディレクトリエントリ）が設定される。ファイル管理情報（ディレクトリエントリ）には、情報記録媒体に記録されたファイルやディレクトリの実態的な構成データのアクセス情報（先頭クラスタ番号）などが記録され、情報記録媒体からのデータ読み取りを行なう場合、情報処理装置は、まず、ファイル管理情報（ディレクトリエントリ）を記録媒体から読み取って、アクセスに必要な情報を取得することになる。
【０００５】
従って、例えばハードディスクのセクタ破損などにより、ファイル管理情報の読み取りが行なえない状況になると、その読み取り不能となったファイル管理情報にアクセス情報が記録されたファイルやディレクトリに対応する実データの読み取りが不可能となるという問題が発生する。
【０００６】
このような管理情報の読み取りエラーに対する対応策を示す従来例として、例えば特許文献１に記載の構成がある。特許文献１には、階層的なファイルシステムに基づいてデータを記録媒体に記録する構成において、ファイルシステムの階層構造を管理する管理情報を記録媒体上の特定領域に記録する構成とし、実データを記録した場所を示す情報を正規情報と予備情報として二重に記録する構成が記載されている。また、特許文献２には、記録装置に記録されたファイル更新の際に、ファイルの先頭データの記録位置情報等を含むファイル情報を記録装置の異なる領域に記録して、正規のファイル情報の復旧を可能とした構成を開示している。
【０００７】
特許文献１，２は、いずれも管理情報を複数記録することで、管理情報の１つが読み取れない状態となった場合でも、他の管理情報をバックアップデータとして利用する構成である。しかし、このような処理を実行するためには、同一管理情報の記録処理を複数回、繰り返して実行することが必要となりデータ処理効率の低下が発生する。
【特許文献１】特開２００３−００６０１７号公報
【特許文献２】特開２００５−０５００７３号公報
【発明の開示】
【発明が解決しようとする課題】
【０００８】
本発明は、同一の管理情報を繰り返し記録するという処理を行なうことなく、ハードディスクのセクタ破損などにより、ファイル管理情報の読み取りが行なえない状況となった場合でも、実データの読み取りが不可能になるという被害を最小限とすることを可能とした情報処理装置、および情報処理方法、並びにコンピュータ・プログラムを提供することを目的とする。
【課題を解決するための手段】
【０００９】
本発明の第１の側面は、
情報記録媒体に対する記録情報に対応するアクセス情報を含む管理情報の記録制御を実行する記録制御部を有し、
前記記録制御部は、
前記情報記録媒体のデータ記録単位領域ごとに１つのディレクトリまたはファイル対応の管理情報を記録する制御を行なう構成であることを特徴とする情報処理装置にある。
【００１０】
さらに、本発明の情報処理装置の一実施態様において、前記管理情報は、複数の実データファイルの上位ディレクトリに設定されるディレクトリ対応の管理情報であるディレクトリエントリであり、前記記録制御部は、前記情報記録媒体のデータ記録単位領域ごとに、前記ディレクトリ対応の１つのディレクトリエントリを記録する制御を行なう構成であることを特徴とする。
【００１１】
さらに、本発明の情報処理装置の一実施態様において、前記管理情報は、複数の実データファイルの上位ディレクトリに設定されるディレクトリ対応の管理情報であるディレクトリエントリ、および、個別の実データファイルに対応するファイル管理情報としてのディレクトリエントリを含み、前記記録制御部は、前記情報記録媒体のデータ記録単位領域ごとに、前記ディレクトリ対応の１つのディレクトリエントリ、または、個別の実データファイルに対応するファイル管理情報としての１つのディレクトリエントリを記録する制御を行なう構成であることを特徴とする。
【００１２】
さらに、本発明の情報処理装置の一実施態様において、前記記録制御部は、前記管理情報を記録した前記データ記録単位領域の空き領域に無効データを記録する制御を行なう構成であることを特徴とする。
【００１３】
さらに、本発明の情報処理装置の一実施態様において、前記データ記録単位領域は、情報記録媒体のセクタに対応する領域であり、前記記録制御部は、前記情報記録媒体のセクタ領域ごとに１つのディレクトリまたはファイル対応の管理情報を記録する制御を行なう構成であることを特徴とする。
【００１４】
さらに、本発明の第２の側面は、
情報処理装置においてデータ記録制御を実行する情報処理方法であり、
記録制御部において、情報記録媒体に対する記録情報に対応するアクセス情報を含む管理情報の記録制御を実行する記録制御ステップを有し、
前記記録制御ステップは、
前記情報記録媒体のデータ記録単位領域ごとに１つのディレクトリまたはファイル対応の管理情報を記録する制御を行なうステップであることを特徴とする情報処理方法にある。
【００１５】
さらに、本発明の情報処理方法の一実施態様において、前記管理情報は、複数の実データファイルの上位ディレクトリに設定されるディレクトリ対応の管理情報であるディレクトリエントリであり、前記記録制御ステップは、前記情報記録媒体のデータ記録単位領域ごとに、前記ディレクトリ対応の１つのディレクトリエントリを記録する制御を行なうステップであることを特徴とする。
【００１６】
さらに、本発明の情報処理方法の一実施態様において、前記管理情報は、複数の実データファイルの上位ディレクトリに設定されるディレクトリ対応の管理情報であるディレクトリエントリ、および、個別の実データファイルに対応するファイル管理情報としてのディレクトリエントリを含み、前記記録制御ステップは、前記情報記録媒体のデータ記録単位領域ごとに、前記ディレクトリ対応の１つのディレクトリエントリ、または、個別の実データファイルに対応するファイル管理情報としての１つのディレクトリエントリを記録する制御を行なうステップであることを特徴とする。
【００１７】
さらに、本発明の情報処理方法の一実施態様において、前記記録制御ステップは、前記管理情報を記録した前記データ記録単位領域の空き領域に無効データを記録する制御を行なうステップを含むことを特徴とする。
【００１８】
さらに、本発明の情報処理方法の一実施態様において、前記データ記録単位領域は、情報記録媒体のセクタに対応する領域であり、前記記録制御ステップは、前記情報記録媒体のセクタ領域ごとに１つのディレクトリまたはファイル対応の管理情報を記録する制御を行なうステップであることを特徴とする。
【００１９】
さらに、本発明の第３の側面は、
情報処理装置においてデータ記録制御を実行させるコンピュータ・プログラムであり、
記録制御部において、情報記録媒体に対する記録情報に対応するアクセス情報を含む管理情報の記録制御を実行させる記録制御ステップを有し、
前記記録制御ステップは、
前記情報記録媒体のデータ記録単位領域ごとに１つのディレクトリまたはファイル対応の管理情報を記録する制御を行なわせるステップであることを特徴とするコンピュータ・プログラムにある。
【００２０】
なお、本発明のコンピュータ・プログラムは、例えば、様々なプログラム・コードを実行可能な汎用コンピュータ・システムに対して、コンピュータ可読な形式で提供する記録媒体、通信媒体、例えば、ＣＤやＦＤ、ＭＯなどの記録媒体、あるいは、ネットワークなどの通信媒体によって提供可能なコンピュータ・プログラムである。このようなプログラムをコンピュータ可読な形式で提供することにより、コンピュータ・システム上でプログラムに応じた処理が実現される。
【００２１】
本発明のさらに他の目的、特徴や利点は、後述する本発明の実施例や添付する図面に基づく、より詳細な説明によって明らかになるであろう。なお、本明細書においてシステムとは、複数の装置の論理的集合構成であり、各構成の装置が同一筐体内にあるものには限らない。
【発明の効果】
【００２２】
本発明の一実施例構成によれば、情報記録媒体に対する情報記録処理に際して、記録情報に対応するアクセス情報を含む管理情報、例えばディレクトリエントリの書き込み処理を行なう場合、データ記録単位領域すなわち各セクタに１つのディレクトリエントリ情報を記録する構成とした。この構成により、万が一、ディレクトリエントリを記録したセクタが破損した場合、失われるディレクトリエントリ情報は１つのみとなり、アクセスができなくなる実データは、その１つのディレクトリエントリにアクセス情報が記録されたデータに限定されることになり、従来の構成に比較してセクタ破損によるデータ消失の量を大幅に削減することが可能となる。
【発明を実施するための最良の形態】
【００２３】
以下、図面を参照しながら、本発明の情報処理装置、および情報処理方法、並びにコンピュータ・プログラムの詳細について説明する。説明は、以下の各項目に従って行なう。
１．ファイルシステムの概要
２．情報処理装置の構成および処理例
（２．１）データ記録構成
（２．２）システム構成およびデータ記録シーケンス
３．情報処理装置のハードウェア構成例
【００２４】
［１．ファイルシステムの概要］
前述したように、例えばデジタルビデオカメラやＰＣ、その他の情報処理機器において、ハードディスクなどのメディア（情報記録媒体）に対して情報記録を行なう場合、記録データファイルの管理情報、例えばＦＡＴ（Ｆｉｌｅ  Ａｌｌｏｃａｔｉｏｎ  Ｔａｂｌｅ）を適用した処理が行なわれる。ＦＡＴには、例えばＦＡＴ１６、ＦＡＴ３２などがあり、これらのファイルシステムは、メディア（情報記録媒体）に対して記録されるデータファイル各々についての記録位置情報、記録位置連鎖情報等を管理する。なお、ＦＡＴ１６／３２の詳細については、例えば、「Ｍｉｃｒｏｓｏｆｔ  Ｅｘｔｅｎｓｉｂｌｅ  Ｆｉｒｍｗａｒｅ  Ｉｎｉｔｉａｔｉｖｅ  ＦＡＴ３２  Ｆｉｌｅ  Ｓｙｓｔｅｍ  Ｓｐｅｃｉｆｉｃａｔｉｏｎ」などに説明がある。
【００２５】
図１を参照して、ハードディスクにパーティションを１つ設け、ＦＡＴ１６およびＦＡＴ３２でフォーマットした場合のデータ構造について説明する。図１（ａ）がＦＡＴ１６、（ｂ）がＦＡＴ３２によるフォーマットを示している。
【００２６】
ＦＡＴ１６のデータ構造は、図１（ａ）に示すように、先頭セクタ（ＬＢＡ＝０）から順に、マスターブートレコード（ＭＢＲ）、パーティションブートレコード（ＰＢＲ）に続き、ファイルアロケーションテーブル１（ＦＡＴ１）と、ファイルアロケーションテーブル２（ＦＡＴ２）が記録され、さらにルートディレクトリエントリに続いて、データ領域としてのクラスタが複数設定される。
【００２７】
ＦＡＴ３２のデータ構造は、図１（ｂ）に示すように、先頭セクタ（ＬＢＡ＝０）から順に、マスターブートレコード（ＭＢＲ）、パーティションブートレコード（ＰＢＲ）、ファイルシステム情報（ＦＳｉｎｆｏ）に続いて、ファイルアロケーションテーブル１（ＦＡＴ１）と、ファイルアロケーションテーブル２（ＦＡＴ２）が記録され、その後、データ領域としてのクラスタが複数設定される。
【００２８】
マスターブートレコード（ＭＢＲ）は、図２（ａ）に示すように、起動情報と、パーティション情報、すなわち、各パーティションの開始アドレスとサイズ情報を含むパーティションテーブルを保持している。なお、図１に示すＦＡＴ１６，ＦＡＴ３２のデータ構造では、パーティションを１つのみとした例を示しているが、ハードディスクなどの記録媒体を複数のパーティションに区切って管理することが可能であり、この場合には、図２に示すように、複数のパーティションの各パーティションの開始アドレスとサイズ情報が含まれるパーティションテーブルが設定される。
【００２９】
起動時においては、まず、ＭＢＲの起動コード領域から起動コード（プログラム）が読み出される。この読み出されたＭＢＲの起動コードは、図２（ａ）に示す起動コードの直後に形成されるパーティションテーブル領域のパーティションテーブルを参照し、目的とするパーティションのブートセクタの情報を読み出し、このブートセクタのコード（プログラム）によって、ＯＳ（Ｏｐｅｒａｔｉｎｇ  Ｓｙｓｔｅｍ）が起動される。
【００３０】
パーティションテーブルは複数個（例えば４個）設けることができるようにされる。各パーティションテーブルは、上述したように、例えばハードディスクの記録領域を分割して形成される各パーティション領域の位置（開始アドレス）と大きさ（パーティションサイズ）を示す情報を保持する。なお、パーティションテーブル領域に続く２バイト（０Ｅ，０Ｆ）には、パーティションテーブルに対する署名が付与される。
【００３１】
１６バイト（１２８ビット）データ長のパーティションテーブルのデータ構造を図２（ｂ）に示す。０バイト目から７バイト目までの８バイト分のエリアがＣＨＳ方式でアドレスを指定する場合に用いる情報の格納エリアであり、８バイト目から１５バイト目までの８バイト分のエリアがＬＢＡ方式でアドレスを指定する場合に用いる情報の格納エリアである。
【００３２】
ＣＨＳ方式は、シリンダ（Ｃｙｌｉｎｄｅｒ）、ヘッド（Ｈｅａｄ）、セクタ（Ｓｅｃｔｏｒ）の３つのパラメータを１組として用いて、記録媒体（ハードディスク）上のアドレス（位置）を指定するようにするものである。また、ＬＢＡ方式は、ハードディスクの記録領域上のアクセス可能な単位ブロック（例えば、１セクタ単位）それぞれについて、例えば０番から順番に数字（ブロックアドレス（論理アドレス））を割り当てておき、その数字を指定することにより、ハードディスクの記録領域上のアドレス（位置）を指定するようにするものである。
【００３３】
図２（ｂ）に示すように、ＣＨＳ方式でアクセスする場合に用いる情報の格納エリアは、０バイト目がアクティブフラグ情報（以下、単にフラグ情報という。）の格納エリア、１バイト目から３バイト目までの３バイト分がＣＨＳ方式でアクセスする場合に用いる開始セクタ情報の格納アリア、４バイト目がパーティションタイプ情報（以下、単にタイプ情報という。）の格納エリア、５バイト目から７バイト目までの３バイト分がＣＨＳ方式でアクセスする場合に用いる終了セクタ情報の格納エリアである。
【００３４】
また、図２（ｂ）に示すように、ＬＢＡ方式でアクセスする場合に用いる情報の格納エリアは、８バイト目から１１バイト目までの４バイト分がＬＢＡ方式で用いられる開始セクタ情報の格納エリア、１２バイト目から１５バイト目までの４バイト分がＬＢＡ方式で用いられるパーティションサイズの格納エリアである。
【００３５】
なお、ＣＨＳ方式は、ハードディスクの物理的構造をそのまま流用しており、シリンダ、ヘッド、セクタというアドレス指定のためのパラメータが３つあることから、ソフトウェア的な処理が複雑になってしまう。これに対し、ＬＢＡ方式の場合には、ブロックアドレスという単一のパラメータで指定するので、アクセス時のアドレス指定が極めて簡単である。このため、ハードディスクにおけるアドレス指定方式としてはＬＢＡ方式が主流になっており、その他の記録媒体、例えば、いわゆるリムーバブルメディアとして広く用いられるようになってきている種々のメモリーカードなどにおいても、ＬＢＡ方式でアドレス指定ができるものが多くなってきている。なお、本発明の情報処理装置において適用する方式は、ＣＨＳ方式、ＬＢＡ方式いずれでもよい。
【００３６】
情報記録媒体に記録される各ファイルには、ファイル名や記録日時などのファイル管理情報が設定される。図３に各パーティションに設けられるディレクトリに格納される情報であって、ファイル毎に形成されるファイル管理情報であるディレクトリエントリの情報構造を示す。このディレクトリエントリは、パーティション内にファイルが形成された場合に、その形成されたファイルに応じてディレクトリに形成されるファイル管理情報であり、形成されたファイルの詳細情報を管理するものである。
【００３７】
各ファイルに対応するファイル管理情報としてのディレクトリエントリは、図３に示すように、名前（ファイル名）欄、拡張名欄、属性欄、予約欄、作成時刻欄、作成日欄、最終アクセス日付欄、先頭クラスタ番号の指示情報（Ｈｉｇｈ）欄、記録時刻欄、記録日付欄、先頭クラスタ番号の指示情報（Ｌｏｗ）欄、ファイルサイズ欄を備え、それぞれ対応する情報、すなわち、ファイル名、拡張名、属性、作成時刻、作成日、最終アクセス日付、先頭クラスタ番号（Ｈｉｇｈ）、記録時刻、記録日付、先頭クラスタ番号（Ｌｏｗ）、ファイルサイズを管理する。このディレクトリエントリの情報を用いることにより、ファイル名によって特定されるファイルは、（１）どのような属性のものであり、（２）開始クラスタはどこで、（３）どの位の大きさのファイルであり、（４）いつ作成され、（５）最終アクセスはいつで、（６）データの記録はいつ行われたか等について管理することができる。
【００３８】
開始クラスタ番号は、ファイルのデータ記録が開始されたパーティションのデータ領域のクラスタ単位の記憶領域を特定する情報である。換言すれば、開始クラスタ番号は、当該パーティションのデータ領域をクラスタ単位に分割した各記憶領域の内の何番目の記憶領域から当該ファイルのデータの記録が行われたかを示している。そして、この例の場合には、図３に示すように、先頭クラスタ番号は、上位側（ｈｉｇｈ側）の２バイトと、下位側（Ｌｏｗ側）の２バイトとに分けて管理される。
【００３９】
クラスタは、図１に示すように、データ領域に含まれ、ＦＡＴにおけるデータを管理できる最小単位であり、複数のセクタをまとめた、１ファイル当たりの最小記録単位を意味する。１クラスタは、セクタ（ハードディスクの場合、セクタサイズ＝５１２バイト）をｎ個（ｎ＝１，２，４，・・・６４，１２８）集めた構成になる。ハードディスクの最小単位であるセクタは、ファイルを管理するための単位としては小さすぎるので、複数のセクタをまとめたクラスタという単位領域を用いることによって、ファイルの管理が容易となるようにしている。クラスタの具体的な大きさは、例えば、ＦＡＴ１６の場合には３２キロバイト、ＦＡＴ３２の場合には４キロバイトである。
【００４０】
図１に示すＦＡＴのデータ構造には、図２を参照して説明したマスターブートレコード（ＭＢＲ）に続いて、パーティションに対応する起動コードを含むパーティションブートレコード（ＰＢＲ）が設定され、その後、ファイルアロケーションテーブル１（ＦＡＴ１）と、ファイルアロケーションテーブル２（ＦＡＴ２）が格納される。
【００４１】
ファイルアロケーションテーブル２（ＦＡＴ２）は、ファイルアロケーションテーブル１（ＦＡＴ１）の予備データとして利用される。すなわち、ファイルアロケーションテーブル２（ＦＡＴ２）には、ファイルアロケーションテーブル１（ＦＡＴ１）のコピーデータを格納している。
【００４２】
一般的なファイルアロケーションテーブル（ＦＡＴ）のデータ構成例について、図４を参照して説明する。ファイルアロケーションテーブル（ＦＡＴ）は、メディア（情報記録媒体）に対して記録されるデータファイル各々についての記録位置情報、記録位置連鎖情報を管理するテーブルである。
【００４３】
前述したように、各データファイルの構成データは、１つ以上のクラスタに分散されて情報記録媒体に記録される。ファイルアロケーションテーブル（ＦＡＴ）は、各ファイルの構成データを格納したクラスタのクラスタ番号の連鎖情報を格納している。
【００４４】
図４に示すＦＡＴは、２つに分割して示してある。２重線で示す項目は、インデックスであり、データエントリとして、
［００００００００ｈ］〜［０００００００Ｆｈ］
［００００００１０ｈ］〜［００００００１Ｆｈ］
［００００００２０ｈ］〜［００００００２Ｆｈ］
［００００００３０ｈ］〜［００００００３Ｆｈ］
のクラスタ番号を示している。なお、図に示すテーブルでは［ｈ］を省略しているが、上記［ｈ］は前の８桁の０〜Ｆの数値で示されるクラスタ番号が１６進数表記であることを示している。
【００４５】
各ファイルの構成データを格納したクラスタ番号の位置に、ファイル構成データの次のデータを格納したクラスタ番号が記録され、最終クラスタ番号の位置にはＥＯＦ（エンドオブファイル）を示すコード［０ＦＦＦＦＦＦＦｈ］が記録される。先頭クラスタ番号は、図３を参照して説明した各ファイルのディレクトリエントリに記録されている。
【００４６】
例えば、各ファイルのディレクトリエントリに記録された先頭クラスタ番号を、
第１ファイル：０００００００７ｈ
第２ファイル：０００００００Ａｈ
第３ファイル：００００００１Ｂｈ
第４ファイル：００００００２Ｃｈ
とする。
【００４７】
第１ファイルの先頭クラスタ番号は、［０００００００７ｈ］であるので、まず、クラスタ番号［０００００００７ｈ］のクラスタを読み取ることで、第１ファイルの最初のデータが取得できる。第１ファイルの次の構成データの記録されたクラスタ番号は、図４に示すＦＡＴのクラスタ番号［０００００００７ｈ］の位置の記録情報に基づいて知ることができる。図４に示すＦＡＴのクラスタ番号［０００００００７ｈ］の位置にはクラスタ番号［０００００００８ｈ］が記録され、第１ファイルの次の構成データの記録されたクラスタ番号は［０００００００８ｈ］であることが判明し、クラスタ番号［０００００００８ｈ］のクラスタからデータを読み取ることができる。
【００４８】
さらに、第１ファイルの次の構成データの記録されたクラスタ番号は、図４に示すＦＡＴのクラスタ番号［０００００００８ｈ］の位置に記録されている。図４に示すＦＡＴのクラスタ番号［０００００００８ｈ］の位置にはクラスタ番号［０００００００９ｈ］が記録され、第１ファイルの次の構成データの記録されたクラスタ番号は［０００００００９ｈ］であることが判明し、クラスタ番号［０００００００９ｈ］のクラスタからデータを読み取ることができる。さらに、次の構成データの記録されたクラスタ番号を取得するため、ＦＡＴのクラスタ番号［０００００００９ｈ］の位置の記録情報を参照すると、ＥＯＦ（エンドオブファイル）の対応コード［０ＦＦＦＦＦＦＦｈ］が記録されており、後続データはないことが判明する。
【００４９】
結果として、第１ファイルは、
クラスタ番号：［０００００００７ｈ］→［０００００００８ｈ］→［０００００００９ｈ］によって指定されるクラスタに格納されていることが判明する。
【００５０】
同様に、
第２ファイルは、
クラスタ番号：［０００００００Ａｈ］→［００００００１Ｆｈ］→［００００００２５ｈ］→［００００００３１ｈ］→［００００００３０ｈ］
第３ファイルは、
クラスタ番号：［００００００１Ｂｈ］→［００００００１１ｈ］→［００００００１２ｈ］→［００００００１３ｈ］→［００００００１４ｈ］→［０００００００３ｈ］
第４ファイルは、
クラスタ番号：［００００００２Ｃｈ］→［００００００２Ｄｈ］→［００００００２Ｅｈ］→［００００００２Ｆｈ］→［００００００３８ｈ］→［００００００３９ｈ］→［００００００３Ａｈ］→［００００００３Ｂｈ］
によって指定されるクラスタに格納されていることが判明し、これらのクラスタからデータを取得することが可能となる。
【００５１】
なお、図４に示すＦＡＴは、ＦＡＴ３２に対応するデータ例である。ＦＡＴ３２では、ＥＯＦ（エンドオブファイル）の対応コードは［０ＦＦＦＦＦＦＦｈ］であるが、ＦＡＴ１６では、ＥＯＦ（エンドオブファイル）の対応コードは［ＦＦＦＦｈ］である。このＥＯＦ（エンドオブファイル）の対応コードを検出することで、ファイル構成データが終了することを判別することができる。
【００５２】
このように、情報記録媒体に記録される各ファイルは、
（ａ）ファイル名や作成日時、ファイルサイズなどを保持する「ディレクトリエントリ」
（ｂ）クラスタの連鎖情報を保持する「ＦＡＴ」
（ｃ）クラスタ単位で記録されている「データ（ファイルの実体）」
の３要素を有し、これらがハードディスクなどの情報記録媒体上に記録され、「ディレクトリエントリ」と、「ＦＡＴ」に基づいて、各ファイルの構成クラスタを識別して、データを読み取ることができる。
【００５３】
なお、これらの３要素はハードディスクなどのメディア上に記録されるが、記録位置としては、３要素がひとまとまりになっているわけではなく、点在している。具体的な記録データのディレクトリ構成例について説明する。図５には、デジタルカメラにおいてハードディスクなどの記録媒体にデータ記録を行なう際に適用されるディレクトリ構成例を示している。
【００５４】
デジタルカメラにおいては、ＤＣＦ（Ｄｅｓｉｇｎ  ｒｕｌｅ  ｆｏｒ  Ｃａｍｅｒａ  Ｆｉｌｅ  ｓｙｓｔｅｍ）に従ってファイル名を自動的に生成し、撮影した静止画ファイル又は動画ファイルを記録媒体に記録する。ＤＣＦにおいては、３文字のディレクトリ番号に任意の文字列を加えてディレクトリ名を設定し、また３文字の任意文字、４文字のファイル番号、拡張子を順次配置してファイル名を設定する。図５に示す例では、ルートディレクトリ（Ｒｏｏｔ）の下位ディレクトリ（ＤＣＩＭ）に、さらに複数の下位ディレクトリ（１０１ＭＳＤＣＦ〜１０３ＭＳＤＣＦ）が設定され、これらの各ディレクトリにファイルＤＳＣ００００１．ＪＰＧ〜が設定される。
【００５５】
先に図３を参照して説明したファイル管理情報としてのディレクトリエントリは、図５に示すディレクトリに設定された各ファイルに対応して個別に記録される。たとえば、図６に示すＤＣＩＭファイルに対応するディレクトリエントリ情報、１０１ＭＳＤＣＦ〜１０３ＭＳＤＣＦ各ファイルに対応するディレクトリエントリ、さらに、実データを格納したファイルＤＳＣ００００１．ＪＰＧ〜の各々に対応するディレクトリエントリが設定され、これらが、情報記録媒体に記録される。実データを格納したファイルＤＳＣ００００１．ＪＰＧ〜各々の実データも管理情報としてのディレクトリエントリとは別領域に情報記録媒体に記録される。
【００５６】
ハードディスクなどの記録媒体（メディア）上における、従来の一般的なデータ配置構成例について、図６を参照して説明する。ハードディスクなどの記録媒体（メディア）上にはデータ記録読み取り単位としてのセクタ（５１２Ｂ（バイト））が６４個を単位としたクラスタ（３２ＫＢ）が設定される。データ記録を行なう場合、例えば、図６（Ａ）に示すような配置でクラスタを消費していく。
【００５７】
具体的には、図５に示す「ＤＣＩＭ」というディレクトリに関するディレクトリエントリは、図６（Ａ）に示すクラスタ番号２の位置に記録され、図５に示す「１０１ＭＳＤＣＦ」というディレクトリに関するディレクトリエントリは、図６（Ａ）に示すクラスタ番号３の位置に記録され、「ＤＳＣ００００１．ＪＰＧ」などのファイルに関するディレクトリエントリは、クラスタ番号４に記録され、「ＤＳＣ００００１．ＪＰＧ」のデータ実体は、クラスタ番号５から記録される。
【００５８】
図５に示すディレクトリにおいて、「１０１ＭＳＤＣＦ」の下位に記録される「ＤＳＣ００００１．ＪＰＧ」〜「ＤＳＣ０９９９９．ＪＰＧ」の各ディレクトリエントリは、離散的に複数のクラスタを利用して記録される。例えば、図６（Ｂ）に示すように、離散的に１０個のクラスタに分かれて記録される。図６（Ｂ）には、
（１）クラスタ番号＝４の記録データ、ＤＳＣ００００１．ＪＰＧ〜ＤＳＣ０１０２２．ＪＰＧ対応のディレクトリエントリ
（２）クラスタ番号＝１１の記録データ、ＤＳＣ０１０２３．ＪＰＧ〜ＤＳＣ０２０４６．ＪＰＧ対応のディレクトリエントリ
以下、計１０個の異なるクラスタ番号の位置に離散的に記録されるディレクトリエントリの設定例を示している。
【００５９】
先に、図３を参照して説明した各ファイルに対応するファイル管理情報としてのディレクトリエントリ１つあたりのサイズは３２バイトであるので、セクタサイズが５１２バイトの場合、図７に示すように、１セクタ（５１２バイト）あたり１６個のディレクトリエントリ（３２＊１６＝５１２）が記録されることになる。もしもセクタ破損が起こってしまった場合、情報はセクタ単位で失われてしまうので、その場合、最大１６個のディレクトリエントリ情報を消失してしまう可能性がある。
【００６０】
上述したように、ディレクトリエントリ情報を記録したセクタが破損すると、その破損したセクタに記録されていたディレクトリエントリ情報を読み取ることが不可能となり、そのディレクトリエントリ情報に従ってアクセスが可能となる実データをアクセスすることが不可能となり、結果として多くのデータが失われることになる。
【００６１】
特に、例えば、図５に示す「１０１ＭＳＤＣＦ」、「１０２ＭＳＤＣＦ」などに対応するディレクトリエントリ、すなわち、「ＤＳＣ００００１．ＪＰＧ」などのファイルの上位ディレクトリに関するディレクトリエントリが失われると、その下位に設定された多くのファイルに対するアクセスが不可能となる。従って、「１０１ＭＳＤＣＦ」、「１０２ＭＳＤＣＦ」などのディレクトリに対応するディレクトリエントリは、「ＤＳＣ００００１．ＪＰＧ」などのファイルに対応するディレクトリエントリより、消失による影響が大きくなる。本発明の情報処理装置においては、このようなディレクトリエントリの記録セクタの破損が発生した場合にも、実データアクセスに対する影響を最小限とする構成を有する。
【００６２】
［２．情報処理装置の構成および処理例］
次に、本発明の情報処理装置の構成および処理例について説明する。先に、図６、図７を参照して説明したように、従来のデータ記録処理では、１セクタ（５１２バイト）ごとに１６個のディレクトリエントリ（３２＊１６＝５１２）を記録していたため、ディレクトリ記録セクタ破損が発生すると、情報はセクタ単位で失われてしまうので、最大１６個のディレクトリエントリ情報を消失してしまう。本発明の情報処理装置は、情報記録媒体に記録するファイル管理情報としてのディレクトリエントリを記録する場合、情報記録媒体のデータ記録単位領域すなわち１つのセクタに対して１つの１つのディレクトリまたはファイル対応の管理情報を記録する（ディレクトリエントリ情報）を記録する構成とした。
【００６３】
（２．１）データ記録構成
図８を参照して、本発明の情報処理装置におけるディレクトリエントリの記録構成について説明する。図８には、図６、図７と同様、図５に示すディレクトリ構成のデータを、本発明のデータ記録構成に従ってハードディスクなどの記録媒体（メディア）上に記録した場合のデータ配置構成例を示している。ハードディスクなどの記録媒体（メディア）上にはデータ記録読み取り単位としてのセクタ（５１２Ｂ（バイト））を６４個含むクラスタ（３２ＫＢ）が設定される。
【００６４】
本発明のデータ記録構成は、図８に示すように、１つのセクタに対して１つのディレクトリエントリ情報を記録する。図８に示す例は、図５に示す「１０１ＭＳＤＣＦ」、「１０２ＭＳＤＣＦ」などに対応するディレクトリエントリ、すなわち、個別のファイルである「ＤＳＣ００００１．ＪＰＧ」などのファイルの上位ディレクトリにとして設定されるディレクトリである「１０１ＭＳＤＣＦ」、「１０２ＭＳＤＣＦ」などに対応するディレクトリエントリを１セクタに１つ記録する構成とした例である。「ＤＳＣ００００１．ＪＰＧ」などの個別ファイルに対応するファイル管理情報としてのディレクトリエントリについては、従来と同様の記録処理構成としてある。
【００６５】
前述したように、「１０１ＭＳＤＣＦ」、「１０２ＭＳＤＣＦ」などの上位ディレクトリに関するディレクトリエントリが失われると、その下位に設定された多くのファイルに対するアクセスが不可能となり、これらのディレクトリに対応するディレクトリエントリは、「ＤＳＣ００００１．ＪＰＧ」などのファイルに対応するディレクトリエントリより、消失による影響が大きいため、これらのディレクトリ対応のディレクトリエントリを１セクタごとに記録したものである。なお、「ＤＳＣ００００１．ＪＰＧ」などのファイルに対応するファイル管理情報としてのディレクトリエントリについても１セクタに１つ記録した構成例については後述する。
【００６６】
図８に示すデータ記録構成例では、クラスタ番号＝３の最初のセクタ（５１２バイト）である第１セクタに、「１０１ＭＳＤＣＦ」に対応するディレクトリエントリ情報を記録する。なお、第１セクタの先頭には、フォーマットで規定された情報記録領域、すなわち図に示す領域［・］、［・・］が設定され、その後に、「１０１ＭＳＤＣＦ」に対応するディレクトリエントリ情報を記録する。第１セクタの残り領域は、［無効］セクタ、すなわち［無効ディレクトリエントリ］として設定する。
【００６７】
図９に「無効ディレクトリエントリ」のデータ構成を示す。「無効ディレクトリエントリ」とは、ＦＡＴファイルシステムにおいて、削除済みディレクトリエントリと扱われる設定としたエントリであり、図９に示すように、先頭１バイトに、１６進数で「Ｅ５」という値をセットしたデータである。以降の２〜３２バイト目にセットする情報に関しては、非参照［ｄｏｎ'ｔ  ｃａｒｅ］領域とされるので、どんな値を設定しても構わない。図９に示す例においては、一例として、１６進数で「００」をセットしている。
【００６８】
図８に示す［無効］領域には、図９に示す「無効ディレクトリエントリ」が設定されることになる。このように、図８に示すクラスタ番号＝３の最初のセクタ（５１２バイト）である第１セクタには、「１０１ＭＳＤＣＦ」に対応するディレクトリエントリ情報が記録され、次の第２セクタには、「１０１ＭＳＤＣＦ」の次のディレクトリである「１０２ＭＳＤＣＦ」に対応するディレクトリエントリ情報が記録される。なお、第２セクタ以降は、セクタの先頭にディレクトリエントリ情報が記録される。その他の領域は、図９に示すデータ構成を持つ「無効ディレクトリエントリ」のデータが設定されることになる。以下、第３セクタには、「１０３ＭＳＤＣＦ」に対応するディレクトリエントリ情報、第４セクタには、「１０４ＭＳＤＣＦ」に対応するディレクトリエントリ情報が順次、記録される。
【００６９】
このように、各セクタに１つのディレクトリ対応のディレクトリエントリ情報を記録することで、万が一、これらのディレクトリエントリを記録したセクタ破損が発生した場合でも、失われるディレクトリエントリ情報は１つのみとなり、アクセスができなくなる実データは、その１つのディレクトリエントリに対応する情報に限定されることになり、従来の構成に比較してセクタ破損によるデータ消失の量を大幅に削減することが可能となる。
【００７０】
なお、前述したように、ディレクトリエントリ情報は、図５に示す「ＤＳＣ００００１．ＪＰＧ」などのファイルに対しても、その上位の「１０１ＭＳＤＣＦ」などのディレクトリに対しても、同様の情報構造（図３参照）で必ず存在するものであるが、図８に示す構成では、ＤＳＣ００００１．ＪＰＧ」などのファイルについては、従来と同様の記録構成とし、「１０１ＭＳＤＣＦ」などのディレクトリに関するディレクトリエントリ情報のみを「１セクタあたり１個に限定する」処理を適用するものになっている。技術的には、同じ処理を、ファイルに関するファイル管理情報としてのディレクトリエントリの記録にも適用可能ではあるが、図５に示すような階層構造でファイル及びディレクトリを記録していく場合、例えば、「１０１ＭＳＤＣＦ」のディレクトリエントリ情報がアクセスできなくなった場合、その下の階層の、「ＤＳＣ００００１．ＪＰＧ」〜「ＤＳＣ０９９９９．ＪＰＧ」に対するアクセスが不可能になり、上位層のディレクトリに対応するディレクトリエントリは、「ＤＳＣ００００１．ＪＰＧ」などのファイルに対応するディレクトリエントリより、消失による影響が大きいため、これらのディレクトリ対応のディレクトリエントリを優先的に救うというスタンスに基づいて、これらのディレクトリエントリを１セクタごとに１つ記録する設定としたものである。
【００７１】
「ＤＳＣ００００１．ＪＰＧ」などのファイルに対応するファイル管理情報としてのディレクトリエントリについても１セクタに１つ記録する設定とすることも可能である。このデータ記録構成例を図１０に示す。図１０に示すデータ記録例において、クラスタ番号＝３のデータ記録構成は、図８を参照して説明したと同様の構成であり、クラスタを構成する各セクタに１つずつ、ディレクトリに対応するディレクトリエントリ情報を記録する構成となっている。すなわち、
第１セクタに「１０１ＭＳＤＣＦ」に対応するディレクトリエントリ情報、
第２セクタに「１０２ＭＳＤＣＦ」に対応するディレクトリエントリ情報、
第３セクタに「１０３ＭＳＤＣＦ」に対応するディレクトリエントリ情報、
という様に、各セクタに１つのディレクトリに対応するディレクトリエントリ情報を記録している。
【００７２】
さらに、このデータ記録例では、図８に示す構成と異なり、クラスタ番号＝４において、クラスタを構成する各セクタに１つずつ、「ＤＳＣ００００１．ＪＰＧ」などのファイルに対応するディレクトリエントリ情報を記録する構成となっている。すなわち、クラスタ４において、
第１セクタにファイル「ＤＳＣ００００１．ＪＰＧ」に対応するファイル管理情報としてのディレクトリエントリ情報、
第２セクタにファイル「ＤＳＣ００００２．ＪＰＧ」に対応するファイル管理情報としてのディレクトリエントリ情報、
第３セクタにファイル「ＤＳＣ００００３．ＪＰＧ」に対応するファイル管理情報としてのディレクトリエントリ情報、
という様に、各セクタに各ファイルに対応するファイル管理情報としてのディレクトリエントリ情報を記録している。
【００７３】
なお、各セクタにおいて示す［無効］領域は、先に図９を参照して説明したと同様の構成を持つデータであり、ファイルシステムは、これらのデータを無効データとして処理する。図１０に示すように、ファイル対応のディレクトリエントリについても１つのセクタに１つのディレクトリエントリの記録を行なう構成とすることで、ファイル対応のディレクトリエントリが記録されたセクタが破損した場合、アクセス不能となるデータは１つのファイルに限定されることになる。
【００７４】
なお、上述した例は、図５に示した階層構造及び命名規則、すなわちＤＣＦ（Ｄｅｓｉｇｎ  ｒｕｌｅ  ｆｏｒ  Ｃａｍｅｒａ  Ｆｉｌｅ  ｓｙｓｔｅｍ）に従った構成に対応するが、本発明はＤＣＦに限らず、様々なファイルシステムにおいて適用可能である。
【００７５】
（２．２）システム構成およびデータ記録シーケンス
次に、図８〜図１０を参照して説明したデータ記録構成に従ったデータ記録処理を実行する情報処理装置の構成およびデータ記録シーケンスについて説明する。情報記録媒体に対するデータ記録や、情報記録媒体からのデータ取得、再生処理は、情報処理装置である例えばデジタルビデオカメラ、ＰＣなどにおいて、データ処理部として機能するＣＰＵによるデータ処理プログラムの実行によって行なわれる。
【００７６】
図１１に示すように、ハードディスク等の情報記録媒体２０４に対してデータを記録したり、記録媒体に記録されているデータを読み出して利用したりする場合には、ユーザとの窓口となるアプリケーションプログラム２０１の下層に情報記録媒体２０４上のファイルを管理するためのファイルシステム（ファイル管理プログラム）２０２とファイルシステムからの情報に基づいて情報記録媒体２０４を制御するデバイスドライバ２０３とが存在する。
【００７７】
情報記録媒体２０４に対してデータを記録、または情報記録媒体２０４からデータを再生する場合には、ファイルシステム２０２、デバイスドライバ２０３の機能によりデータの書き込み、再生が実行される。従来と同様の処理によって、ファイルシステム⇔デバイスドライバ⇔記録媒体（ハードディスク）といった構成で処理は行なわれる。
【００７８】
データ記録を行なう場合に、複数の異なるファイルを継続記録ファイルとして適用する場合は、ファイルシステムによって適用されるファイルアロケーションテーブル（ＦＡＴ）に対する特殊コードの記録を行なう。また、データ再生を実行する場合に複数の異なるファイルを継続記録ファイルとして適用する場合は、ＦＡＴからの特殊コードの検出を条件として、ファイルの切り替えを実行する。
【００７９】
図１１に示すシステム構成中のファイルシステムをさらに詳細に示した構成図を図１２に示す。図１２に示す構成は、図１１と同様、情報記録媒体に対するデータ記録および情報記録媒体からのデータ取得、再生処理を実行する情報処理装置のシステム構成を示す図であり、ハードディスク等の情報記録媒体３０４に対してデータを記録したり、記録媒体に記録されているデータを読み出して利用する処理を実行する情報処理装置のシステム構成を示している。
【００８０】
図１２に示すように、ユーザとの窓口となるアプリケーションプログラム３０１の下層に情報記録媒体３０４上のファイルを管理するためのファイルシステム（ファイル管理プログラム）３０２とファイルシステムからの情報に基づいて情報記録媒体３０４を制御するデバイスドライバ３０３とが存在する。デバイスドライバ３０３には、記録デバイスである情報記録媒体３０４に対応するデバイスドライバ３５１が含まれる。
【００８１】
アプリケーション３０１、ファイルシステム３０２、デバイスドライバ３０３は、各構成部の処理に必要なプログラムやパラメータの格納、データ処理におけるワーク領域としてメモリ３４１をアクセスして利用する。
【００８２】
ファイルシステム３０２は、記録媒体の種別やフォーマット情報などを含むマウントドライブ情報３１１を保持し、マウントドライブ情報３１１に従って、ハードディスク等の情報記録媒体３０４を適用したデータ記録、再生制御を実行する。ファイルシステム３０２は、データ記録再生制御を実行する記録再生制御部３２０と、メディア制御を実行するメディア制御部３３０を有する。
【００８３】
記録再生制御部３２０は、ファイルアロケーションテーブル（ＦＡＴ）の記録、参照処理を実行するＦＡＴ制御部３２１と、データ記録位置情報としてのクラスタの決定処理、クラスタ番号に基づく再生位置決定処理を実行するクラスタ制御部３２２と、ファイルに対応する情報を格納したディレクトリエントリ（図３参照）を生成、または参照する処理を実行するディレクトリエントリ制御部３２３を有する。ディレクトリエントリ制御部３２３は、アプリケーション３０１からの指示に基づいて特定のファイルに対応するディレクトリエントリを取得し、例えばファイル再生の場合は、ディレクトリエントリから先頭クラスタ番号を取得し、クラスタ制御部３２２に提供する。
【００８４】
メディア制御部３３０は、位置算出部３３１を有し、クラスタ制御部３２２の決定するクラスタ情報やＦＡＴのクラスタ連鎖情報に基づいて、デバイスドライバ３０３を制御し、クラスタ番号によってデータ記録、またはデータ再生を実行するディスクの位置を決定し、決定した位置情報に従って、デバイスドライバ３０３を介してデータ記録、または当該ディスク位置からのデータ再生を実行する。
【００８５】
ファイルシステム３２０の記録再生制御部３２０およびデバイスドライバ３０３は、記録情報がディレクトリエントリなどの管理情報である場合、情報記録媒体に対する記録処理において、１セクタあたり１つのディレクトリエントリを記録する処理を実行する。すなわち、情報処理装置のデータ処理部の１つとして設定されるファイルシステムの制御により、記録情報がディレクトリエントリなどの管理情報であるか否かを判定し、ディレクトリエントリなどの管理情報である場合、１セクタあたり１つのディレクトリエントリを記録する制御が行なわれる。
【００８６】
次に、図１３および図１４に示すフローチャートを参照して、メディアに対するデータ記録処理の実行シーケンスについて説明する。図１３は、図８を参照して説明したデータ記録構成、すなわち、図５に示すディレクトリ構成において、「１０１ＭＳＤＣＦ」、「１０２ＭＳＤＣＦ」などの上位ディレクトリに関するディレクトリエントリのみを１セクタに１つ記録する設定とし、「ＤＳＣ００００１．ＪＰＧ」などのファイルに対応するディレクトリエントリについては、従来の記録処理構成とした場合のデータ記録処理シーケンスを説明するフローチャートである。
【００８７】
図１４は、「１０１ＭＳＤＣＦ」、「１０２ＭＳＤＣＦ」などの上位ディレクトリに関するディレクトリエントリのみならず、「ＤＳＣ００００１．ＪＰＧ」などのファイルに対応するファイル管理情報としてのディレクトリエントリについても１セクタに１つ記録する構成とした場合のデータ記録処理シーケンスを説明するフローチャートである。
【００８８】
なお、ディレクトリエントリを作成または更新して情報記録媒体に記録する処理を実行するのは、例えば、
フォーマット（初期化）処理の実行時、
動画や静止画の記録処理実行時、
記録済みの動画や静止画を編集する際、
記録済みの動画や静止画を再生集する際、
これらの処理の実行時であり、これらの処理の実行に際して、図１３４、または図１４に示すフローに従った処理が情報処理装置の記録制御部において実行されることになる。
【００８９】
まず、図１３を参照して、ディレクトリ対応のディレクトリエントリのみを１セクタに１つ記録する構成におけるデータ記録処理シーケンスについて説明する。まず、ステップＳ１０１において、情報処理装置のデータ処理部、例えば、ファイルシステムにおける記録制御部は、書き込みデータが、「１０１ＭＳＤＣＦ」、「１０２ＭＳＤＣＦ」などの上位ディレクトリに関するディレクトリエントリであるか否かを判別する。
【００９０】
書き込みデータが、「１０１ＭＳＤＣＦ」、「１０２ＭＳＤＣＦ」などの上位ディレクトリに関するディレクトリエントリでない場合は、ステップＳ１０２に進み、従来どおりのデータ記録処理を実行する。
【００９１】
一方、ステップＳ１０１の判定において、書き込みデータが、「１０１ＭＳＤＣＦ」、「１０２ＭＳＤＣＦ」などの上位ディレクトリに関するディレクトリエントリであると判定すると、ステップＳ１０３に進み、第１番目のディレクトリエントリ情報の書き込みであるか否かを判定する。
【００９２】
第１番目のディレクトリエントリ情報の書き込みである場合は、ステップＳ１０４に進み、先に図８を参照して説明したように、フォーマットで規定された情報記録領域、すなわち図８に示す第１セクタのデータ領域［・］、［・・］の後に、第１番目のディレクトリエントリ情報を記録する。第１セクタの残り領域は、先に図９を参照して説明したデータ構成を持つ［無効ディレクトリエントリ］として設定する。なお、この［無効ディレクトリエントリ］の設定処理は、例えばフォーマット（初期化）処理などにおいて一度実行されればよく、ディレクトリエントリ情報の書き込みごとに行なうことは必須ではない。
【００９３】
ステップＳ１０３において、第１番目のディレクトリエントリ情報の書き込みでないと判定された場合は、ステップＳ１０５に進み、現在、ディレクトリ記録用に確保しているクラスタの空き状態をチェックする。ステップＳ１０６において、データ書き込み可能な空きセクタが存在すると判定された場合は、ステップＳ１０７に進み、空きセクタにディレクトリエントリ情報を記録し、セクタの残り領域に対して、先に図９を参照して説明したデータ構成を持つ［無効ディレクトリエントリ］を設定する。
【００９４】
ステップＳ１０６において、データ書き込み可能な空きセクタが存在しないと判定された場合は、ステップＳ１０８に進み、新たなディレクトリエントリ書き込み用のクラスタを確保する処理を実行し、ステップＳ１０９において、クラスタ確保に成功したと判定されると、ステップＳ１０７に進み、空きセクタにディレクトリエントリ情報を記録し、セクタの残り領域に対して、先に図９を参照して説明したデータ構成を持つ［無効ディレクトリエントリ］を設定する。ステップＳ１０９において、クラスタ確保に成功しなかった場合は、書き込みエラーメッセージの提示などの警告処理を実行して処理を終了する。
【００９５】
以上のデータ書き込み処理によって、先に図８を参照して説明したように、各セクタに１つのディレクトリ対応のディレクトリエントリ情報の記録が行なわれ、万が一、これらのディレクトリエントリを記録したセクタ破損が発生した場合でも、失われるディレクトリエントリ情報は１つのみとなり、アクセスができなくなる実データは、その１つのディレクトリエントリに対応する情報に限定されることになり、従来の構成に比較してセクタ破損によるデータ消失の量を大幅に削減することが可能となる。
【００９６】
次に、図１４に示すフローチャートを参照して、例えば図５に示すディレクトリ設定において、「１０１ＭＳＤＣＦ」、「１０２ＭＳＤＣＦ」などの上位ディレクトリに関するディレクトリエントリのみならず、「ＤＳＣ００００１．ＪＰＧ」などのファイルに対応するファイル管理情報としてのディレクトリエントリについても１セクタに１つ記録する構成とした場合のデータ記録処理シーケンスについて説明する。
【００９７】
図１４に示すフローチャートと、図１３に示すフローチャートの差異は、ステップＳ１０１においてＮｏと判定された場合にステップＳ１０１−２を実行する点のみである。その他のステップについては図１３において説明したと同様の処理となる。
【００９８】
ステップＳ１０１において、情報処理装置のデータ処理部、例えば、ファイルシステムにおける記録制御部は、書き込みデータが、「１０１ＭＳＤＣＦ」、「１０２ＭＳＤＣＦ」などの上位ディレクトリに関するディレクトリエントリであるか否かを判別する。
【００９９】
書き込みデータが、「１０１ＭＳＤＣＦ」、「１０２ＭＳＤＣＦ」などの上位ディレクトリに関するディレクトリエントリでない場合は、ステップＳ１０１−２に進み、書き込みデータが、「ＤＳＣ００００１．ＪＰＧ」などのファイルに対応するファイル管理情報としてのディレクトリエントリであるか否かを判定する。
【０１００】
書き込みデータが、「ＤＳＣ００００１．ＪＰＧ」などのファイルに対応するファイル管理情報としてのディレクトリエントリでない場合は、ステップＳ１０２に進み、従来どおりのデータ記録処理を実行する。
【０１０１】
本処理例では、ステップＳ１０１において、書き込みデータが、「１０１ＭＳＤＣＦ」、「１０２ＭＳＤＣＦ」などの上位ディレクトリに関するディレクトリエントリであると判定した場合、および、ステップＳ１０１−２において、書き込みデータが、「ＤＳＣ００００１．ＪＰＧ」などのファイルに対応するファイル管理情報としてのディレクトリエントリである場合のいずれも、ステップＳ１０３に進む。ステップＳ１０３以下の処理は、先に図１３を参照して説明した処理と同様であり、１つのセクタに対して１つのディレクトリエントリを記録する処理である。
【０１０２】
本処理例では、「１０２ＭＳＤＣＦ」などの上位ディレクトリに関するディレクトリエントリのみならず、「ＤＳＣ００００１．ＪＰＧ」などのファイル対応のディレクトリエントリについても１つのセクタに１つのディレクトリエントリの記録を行ない、先に図１０を参照して説明した構成を持つデータ記録を行なうことで、ファイル対応のディレクトリエントリが記録されたセクタが破損した場合、アクセス不能となるデータは１つのファイルに限定されることになる。
【０１０３】
［３．情報処理装置のハードウェア構成例］
次に、上述した処理を実行する情報処理装置の構成例として、デジタルビデオカメラと、ＰＣの装置構成例について、図１５、図１６を参照して説明する。
【０１０４】
まず、図１５を参照してデジタルビデオカメラの構成例について説明する。デジタルビデオカメラは、画像を撮像して、撮像することにより得た画像データをドライブ４３２を介して磁気ディスク、光ディスク、光磁気ディスク、半導体メモリ等の各種情報記録媒体に記録する撮像モードと、画像入出力部４１４や音声入出力部４１６あるいは通信部４３１を通じて供給を受けたデータを記録媒体に記録したり、記録媒体に記録されているデータを再生したりするＶＴＲモードとを備えたものである。
【０１０５】
撮像モードは、動画を撮像すると共に、これと同時に収音するようにした音声とを記録媒体に記録する動画撮像モードと、静止画を撮像する静止画撮像モードとを備えている。また、ＶＴＲモード時においては、記録ボタンスイッチなどによって構成される操作入力部４２０を操作することにより供給されるデータの記録が行われるようにされ、再生ボタンスイッチを操作することにより記録媒体に記録されている目的とするデータを再生することができる。
【０１０６】
図１５に示すように、デジタルビデオカメラは、光学レンズ部４１１、光電変換部４１２、カメラ機能制御部４０２、画像信号処理部４１３、画像入出力部４１４、液晶ディスプレイ４１５、音声入出力部４１６、音声信号処理部４１７、通信部４３１、制御部（ＣＰＵ）４０１、内蔵メモリ（ＲＡＭ）４１８、内蔵メモリ（ＲＯＭ）４１９、操作入力部４２０、情報記録媒体に対するドライブ４３２、さらに、各構成部に対する電力供給を行なう電源４４１を備えたものである。
【０１０７】
制御部（ＣＰＵ）４０１は、ＲＯＭ４１９に格納された各種の処理プログラムに従って処理を実行する。ＲＡＭ４１８は、各処理において途中結果を一時記憶するなど、主に作業領域として用いられる。前述した管理情報の記録処理に際しても、ＲＡＭ４１８を作業領域としてデータの更新などが実行される。
【０１０８】
操作入力部４０１は、動画撮影モード、静止画撮影モード、ＶＴＲモードなどの動作モードを切り換えるモード切り換えキー、静止画の撮影のためのシャッターキー、動画を撮影するための撮影開始キー、録画キー、再生キー、停止キー、早送りキー、早戻しキーなどの種々の操作キーや機能キーなどを備え、ユーザからの操作入力を受け付けて、受け付けた操作入力に応じた電気信号を制御部（ＣＰＵ）４０１に供給する。
【０１０９】
制御部（ＣＰＵ）４０１は、ユーザからの操作入力に応じて、目的とする処理を行うためのプログラムをＲＯＭ４１９から読み出して実行し、各部を制御することによって、ユーザからの指示に応じた処理の制御を行う。デジタルビデオカメラは、情報記録媒体として、磁気ディスク、光ディスク、光磁気ディスク、半導体メモリ等の各種情報記録媒体を装着可能であり、これらの情報記録媒体にドライブ４３２を介して各種の情報を記録し、また、これらの情報記録媒体に記録された情報を再生する。
【０１１０】
次に、図１６を参照して、上述した処理を実行する情報処理装置の一例としてのＰＣのハードウェア構成例について説明する。ＣＰＵ（Central Processing Unit）５０１は、ＯＳ（Operating System)に対応する処理や、上述の実施例において説明した異なるファイルを利用したデータ記録、あるいはデータ再生処理などを実行するデータ処理部として機能する。これらの処理は、情報処理装置のＲＯＭ、ハードディスクなどのデータ記憶部に格納されたコンピュータ・プログラムに従って実行される。
【０１１１】
ＲＯＭ（Read Only Memory）５０２は、ＣＰＵ５０１が使用するプログラムや演算パラメータ等を格納する。ＲＡＭ（Random Access Memory）５０３は、ＣＰＵ５０１の実行において使用するプログラムや、その実行において適宜変化するパラメータ等を格納する。これらはＣＰＵバスなどから構成されるホストバス５０４により相互に接続されている。前述した管理情報の記録処理に際しても、ＲＡＭ５０３を作業領域としてデータの更新などが実行される。
【０１１２】
ホストバス５０４は、ブリッジ５０５を介して、ＰＣＩ(Peripheral Component Interconnect/Interface)バスなどの外部バス５０６に接続されている。
【０１１３】
キーボード５０８、ポインティングデバイス５０９は、ユーザにより操作される入力デバイスである。ディスプレイ５１０は、液晶表示装置またはＣＲＴ（Cathode Ray Tube）などから成り、各種情報をテキストやイメージで表示する。
【０１１４】
ＨＤＤ（Hard Disk Drive）５１１は、ハードディスクを内蔵し、ハードディスクを駆動し、ＣＰＵ５０１によって実行するプログラムや情報を記録または再生させる。ハードディスクは、例えば、画像データファイルの格納領域として利用されるとともに、データ処理プログラム等、各種コンピュータ・プログラムが格納される。
【０１１５】
ドライブ５１２は、装着されている磁気ディスク、光ディスク、光磁気ディスク、または半導体メモリ等のリムーバブル記録媒体５２１に記録されているデータまたはプログラムを読み出して、そのデータまたはプログラムを、インタフェース５０７、外部バス５０６、ブリッジ５０５、およびホストバス５０４を介して接続されているＲＡＭ５０３に供給する。
【０１１６】
接続ポート５１４は、外部接続機器５２２を接続するポートであり、ＵＳＢ，ＩＥＥＥ１３９４等の接続部を持つ。接続ポート５１４は、インタフェース５０７、および外部バス５０６、ブリッジ５０５、ホストバス５０４等を介してＣＰＵ５０１等に接続されている。通信部５１５は、ネットワークに接続され、その他の情報処理装置との通信を実行する。
【０１１７】
なお、図１５、図１６に示す情報処理装置の構成例は、装置の一例であり、情報処理装置は、図１５、図１６に示す構成に限らず、上述した実施例において説明した処理を実行可能な構成であればよい。
【０１１８】
なお、本発明は、ランダムアクセス可能なメディア全般に適用可能であるが、特に、ＨＤＤ（ハードディスクドライブ）に対して適用した場合が効果的であると言える。また、ファイルシステムに関しては、ＦＡＴ１６／３２に限定されるものではない。
【０１１９】
以上、特定の実施例を参照しながら、本発明について詳解してきた。しかしながら、本発明の要旨を逸脱しない範囲で当業者が該実施例の修正や代用を成し得ることは自明である。すなわち、例示という形態で本発明を開示してきたのであり、限定的に解釈されるべきではない。本発明の要旨を判断するためには、特許請求の範囲の欄を参酌すべきである。
【０１２０】
また、明細書中において説明した一連の処理はハードウェア、またはソフトウェア、あるいは両者の複合構成によって実行することが可能である。ソフトウェアによる処理を実行する場合は、処理シーケンスを記録したプログラムを、専用のハードウェアに組み込まれたコンピュータ内のメモリにインストールして実行させるか、あるいは、各種処理が実行可能な汎用コンピュータにプログラムをインストールして実行させることが可能である。
【０１２１】
例えば、プログラムは記録媒体としてのハードディスクやＲＯＭ（Read Only Memory)に予め記録しておくことができる。あるいは、プログラムはフレキシブルディスク、ＣＤ−ＲＯＭ(Compact Disc Read Only Memory)，ＭＯ(Magneto optical)ディスク，ＤＶＤ(Digital Versatile Disc)、磁気ディスク、半導体メモリなどのリムーバブル記録媒体に、一時的あるいは永続的に格納（記録）しておくことができる。このようなリムーバブル記録媒体は、いわゆるパッケージソフトウエアとして提供することができる。
【０１２２】
なお、プログラムは、上述したようなリムーバブル記録媒体からコンピュータにインストールする他、ダウンロードサイトから、コンピュータに無線転送したり、ＬＡＮ(Local Area Network)、インターネットといったネットワークを介して、コンピュータに有線で転送し、コンピュータでは、そのようにして転送されてくるプログラムを受信し、内蔵するハードディスク等の記録媒体にインストールすることができる。
【０１２３】
なお、明細書に記載された各種の処理は、記載に従って時系列に実行されるのみならず、処理を実行する装置の処理能力あるいは必要に応じて並列的にあるいは個別に実行されてもよい。また、本明細書においてシステムとは、複数の装置の論理的集合構成であり、各構成の装置が同一筐体内にあるものには限らない。
【産業上の利用可能性】
【０１２４】
以上、説明したように、本発明の一実施例構成によれば、情報記録媒体に対する情報記録処理に際して、記録情報に対応するアクセス情報を含む管理情報、例えばディレクトリエントリの書き込み処理を行なう場合、データ記録単位領域すなわち各セクタに１つのディレクトリエントリ情報を記録する構成とした。この構成により、万が一、ディレクトリエントリを記録したセクタが破損した場合、失われるディレクトリエントリ情報は１つのみとなり、アクセスができなくなる実データは、その１つのディレクトリエントリにアクセス情報が記録されたデータに限定されることになり、従来の構成に比較してセクタ破損によるデータ消失の量を大幅に削減することが可能となる。
【図面の簡単な説明】
【０１２５】
【図１】ＦＡＴ１６およびＦＡＴ３２でフォーマットした場合のデータ構造について説明する図である。
【図２】マスターブートレコード（ＭＢＲ）のデータ構成について説明する図である。
【図３】ディレクトリエントリの情報構造を説明する図である。
【図４】一般的なファイルアロケーションテーブル（ＦＡＴ）のデータ構成例について説明する図である。
【図５】情報記録媒体に記録されるデータのディレクトリ構成例を示す図である。
【図６】情報記録媒体に記録されるデータの一般的な配置およびディレクトリエントリの記録例について説明する図である。
【図７】情報記録媒体に記録されるデータの一般的な配置および各セクタに記録されるディレクトリエントリの記録例について説明する図である。
【図８】本発明の一実施例に従って各セクタに記録されるディレクトリエントリの記録構成例を説明する図である。
【図９】本発明の一実施例に従って各セクタに記録される無効データのデータ構成例について説明する図である。
【図１０】本発明の一実施例に従って各セクタに記録されるディレクトリエントリの記録構成例を説明する図である。
【図１１】本発明の一実施例に係る情報処理装置のシステム構成について説明する図である。
【図１２】本発明の一実施例に係る情報処理装置のシステム構成について説明する図である。
【図１３】情報記録処理シーケンスの一実施例について説明するフローチャートを示す図である。
【図１４】情報記録処理シーケンスの一実施例について説明するフローチャートを示す図である。
【図１５】本発明の情報処理装置の一実施例としてのデジタルビデオカメラの構成例について説明する図である。
【図１６】本発明の情報処理装置の一実施例としてのＰＣの構成例について説明する図である。
【符号の説明】
【０１２６】
２０１  アプリケーション
２０２  ファイルシステム
２０３  デバイスドライバ
２０４  情報記録媒体
３０１  アプリケーション
３０２  ファイルシステム
３０３  デバイスドライバ
３０４  情報記録媒体
３１１  マウントドライブ情報
３２０  記録再生制御部
３２１  ＦＡＴ制御部
３２２  クラスタ制御部
３２３  ディレクトリエントリ制御部
３３０  メディア制御部
３３１  位置算出部
３４１  メモリ
３５１  デバイスドライバ
４０１  制御部（ＣＰＵ）
４０２  カメラ機能制御部
４１１  光学レンズ部
４１２  光電変換部
４１３  画像信号処理部
４１４  画像入出力部
４１５  液晶ディスプレイ
４１６  音声入出力部
４１７  音声処理部
４１８  内蔵メモリ（ＲＡＭ）
４１９  内蔵メモリ（ＲＯＭ）
４２０  操作入力部
４３１  通信部
４３２  ドライブ
４４１  電源
５０１  ＣＰＵ(Central Processing Unit)
５０２  ＲＯＭ（Read-Only-Memory）
５０３  ＲＡＭ（Random Access Memory）
５０４  ホストバス
５０５  ブリッジ
５０６  外部バス
５０７  インタフェース
５０８  キーボード
５０９  ポインティングデバイス
５１０  ディスプレイ
５１１  ＨＤＤ（Hard Disk Drive）
５１２  ドライブ
５１４  接続ポート
５１５  通信部
５２１  リムーバブル記録媒体
５２２  外部接続機器
【図１】
2007264870.tif 000003
【図３】
2007264870.tif 000004
【図４】
2007264870.tif 000005
【図５】
2007264870.tif 000006
【図６】
2007264870.tif 000007
【図７】
2007264870.tif 000008
【図８】
2007264870.tif 000009
【図９】
2007264870.tif 000010
【図１０】
2007264870.tif 000011
【図１１】
2007264870.tif 000012
【図１２】
2007264870.tif 000013
【図１３】
2007264870.tif 000014
【図１４】
2007264870.tif 000015
【図１５】
2007264870.tif 000016
【図１６】
2007264870.tif 000017
【図２】
2007264870.tif 000018